(57)【要約】【課題】従来のき電線接続具（饋電線接続具）は、油圧装置を用いる必要があり、き電線同士を迅速に接続できないという欠点があった。【解決手段】本発明のき電線接続具は、一方のき電線挿入用の一方の貫通孔と他方のき電線挿入用の他方の貫通孔とが設けられた接続具本体と、上記一方の貫通孔に挿入される一方のクサビと、上記他方の貫通孔に挿入される他方のクサビとよりなり、上記各クサビが、対応する上記貫通孔のき電線の挿入側の開口部とは反対側の出口側の開口部から挿入されて、上記各貫通孔に挿入されたき電線を締め付けて固定することにより、上記各き電線をそれぞれ上記接続具本体に接続することを特徴とする。【選択図】図３
2013157261.tif 000002
【特許請求の範囲】
【請求項１】
一方のき電線挿入用の一方の貫通孔と他方のき電線挿入用の他方の貫通孔とが設けられた接続具本体と、
上記一方の貫通孔に挿入される一方のクサビと、
上記他方の貫通孔に挿入される他方のクサビとよりなり、
上記各クサビが、対応する上記貫通孔のき電線の挿入側の開口部とは反対側の出口側の開口部から挿入されて、上記各貫通孔に挿入されたき電線を締め付けて固定することにより、上記各き電線をそれぞれ上記接続具本体に接続することを特徴とするき電線接続具。
【請求項２】
上記各貫通孔の内周面の軸方向に沿う一方の側には、挿入されるき電線の一側面に当接する本体側き電線受け凹部が形成され、また、上記各貫通孔の内周面の、上記一方の側に対向する他方の側にはクサビ当接面が形成され、
上記本体側き電線受け凹部と対応する上記クサビ当接面との距離が、上記き電線の挿入側の開口部から出口側の開口部に向かって徐々に長くなるように、上記クサビ当接面が上記本体側き電線受け凹部に対して傾斜して設けられ、
上記各クサビの外周面の長手方向に沿う一方の側には、挿入されるき電線の他側面に当接するクサビ側き電線受け凹部が形成され、また、上記各クサビの外周面の、上記一方の側の反対側の他方の側には、対応する上記貫通孔のクサビ当接面に当接するクサビ面が形成され、
上記クサビ側き電線受け凹部と対応する上記クサビ面との距離が、上記クサビの先端から後端に向かって徐々に長くなるように、上記クサビ面が上記クサビ側き電線受け凹部に対して傾斜して設けられ、
上記各貫通孔に対応する上記クサビが挿入されることにより、上記各貫通孔に挿入されたき電線が上記本体側き電線受け凹部と上記クサビ側き電線受け凹部とにより締め付けられて固定されることを特徴とする請求項１記載のき電線接続具。
【請求項３】
上記貫通孔の内周面及び上記クサビの外周面の少なくとも一方に、滑り止め手段を設けたことを特徴とする請求項１または２記載のき電線接続具。
【発明の詳細な説明】
【技術分野】
【０００１】
本発明はき電線接続具（饋電線接続具）、特に、電気鉄道の架線に電力を供給するためのき電線同士を接続する接続具に関するものである。
【背景技術】
【０００２】
従来のき電線同士を接続する方法としては、導電性のある筒状の接続具を用い、この両端開口部から、それぞれき電線を挿入し、上記接続具を外部から圧縮して、上記接続具に上記各き電線を固定させて、き電線同士を上記接続具に接続するようにしている。
【０００３】
このようなき電線接続具としては、例えば、特許文献１がある。
【先行技術文献】
【特許文献】
【０００４】
【特許文献１】特開２００１−１８５２４６号公報
【発明の概要】
【発明が解決しようとする課題】
【０００５】
しかしながら、上記筒状の接続具を圧縮するには、油圧装置を用いる必要があり、き電線同士の接続に時間がかかる。また、き電線には張力が働いているため、迅速な接続が難しい。
【０００６】
従って、従来のき電線接続具では、き電線同士を短時間で接続しなければならない場合に対応できず、また、短時間で接続しようとした場合に、危険を伴う場合があった。
【０００７】
本発明は、油圧装置を用いずに、また、き電線の張力を利用することにより、より迅速にき電線同士の接続ができるき電線接続具を提供するものである。
【課題を解決するための手段】
【０００８】
本発明のき電線接続具は、一方のき電線挿入用の一方の貫通孔と他方のき電線挿入用の他方の貫通孔とが設けられた接続具本体と、上記一方の貫通孔に挿入される一方のクサビと、上記他方の貫通孔に挿入される他方のクサビとよりなり、上記各クサビが、対応する上記貫通孔のき電線の挿入側の開口部とは反対側の出口側の開口部から挿入されて、上記各貫通孔に挿入されたき電線を締め付けて固定することにより、上記各き電線をそれぞれ上記接続具本体に接続することを特徴とする。
【０００９】
また、上記各貫通孔の内周面の軸方向に沿う一方の側には、挿入されるき電線の一側面に当接する本体側き電線受け凹部が形成され、また、上記各貫通孔の内周面の、上記一方の側に対向する他方の側にはクサビ当接面が形成され、上記本体側き電線受け凹部と対応する上記クサビ当接面との距離が、上記き電線の挿入側の開口部から出口側の開口部に向かって徐々に長くなるように、上記クサビ当接面が上記本体側き電線受け凹部に対して傾斜して設けられ、上記各クサビの外周面の長手方向に沿う一方の側には、挿入されるき電線の他側面に当接するクサビ側き電線受け凹部が形成され、また、上記各クサビの外周面の、上記一方の側の反対側の他方の側には、対応する上記貫通孔のクサビ当接面に当接するクサビ面が形成され、上記クサビ側き電線受け凹部と対応する上記クサビ面との距離が、上記クサビの先端から後端に向かって徐々に長くなるように、上記クサビ面が上記クサビ側き電線受け凹部に対して傾斜して設けられ、上記各貫通孔に対応する上記クサビが挿入されることにより、上記各貫通孔に挿入されたき電線が上記本体側き電線受け凹部と上記クサビ側き電線受け凹部とにより締め付けられて固定されることを特徴とする。
【００１０】
上記貫通孔の内周面及び上記クサビの外周面の少なくとも一方に、滑り止め手段を設けたことを特徴とする。
【発明の効果】
【００１１】
本発明のき電線接続具によれば、油圧装置を用いることがなく、また、クサビを例えば、ハンマーなどで叩くだけで、き電線をき電線接続具に接続できるので、迅速な接続ができる。
【００１２】
また、互いに反対方向に働く一方及び他方のき電線の張力を利用して固定させるので、より確実に締め付けができ、また、従来のき電線接続具に比べて取付作業時の安全性が高い。
【００１３】
また、貫通孔の内周面及びクサビの外周面の少なくとも一方に設けた滑り止めにより、より確実にき電線を固定することができる。
【図面の簡単な説明】
【００１４】
【図１】本発明のき電線接続具を用いて一方のき電線と他方のき電線とを接続した説明用正面図である。
【図２】本発明のき電線接続具を用いて一方のき電線と他方のき電線とを接続した説明用平面図である。
【図３】本発明のき電線接続具の説明用正面図である。
【図４】本発明のき電線接続具の説明用平面図である。
【図５】本発明のき電線接続具の説明用右側面図である。
【図６】本発明のき電線接続具の接続具本体の説明用正面図である。
【図７】本発明のき電線接続具の接続具本体の説明用平面図である。
【図８】本発明のき電線接続具の接続具本体の説明用右側面図である。
【図９】本発明のき電線接続具のクサビの説明用正面図である。
【図１０】本発明のき電線接続具のクサビの説明用平面図である。
【図１１】本発明のき電線接続具のクサビの説明用右側面図である。
【図１２】本発明のき電線接続具の接続方法の説明図である
【図１３】本発明のき電線接続具の接続方法の説明図である
【図１４】本発明のき電線接続具の接続方法の説明図である
【発明を実施するための形態】
【００１５】
以下図面によって本発明の実施例を説明する。
【実施例１】
【００１６】
図１は、一方のき電線と他方のき電線とを本発明のき電線接続具を介して接続した正面図を示し、図２はその平面図を示す。１は、一方のき電線、２は、上記一方のき電線１に接続される他方のき電線、３は、上記一方のき電線１と上記他方のき電線２とをそれぞれ接続するき電線接続具、４は上記き電線１、２を吊架する碍子である。
【００１７】
本発明のき電線接続具３は、図３〜図１１に示すように、上記一方のき電線１を挿入する一方の貫通孔５と上記他方のき電線２を挿入する他方の貫通孔６とを設けた接続具本体７と、上記一方の貫通孔５に挿入される一方のクサビ８と、上記他方の貫通孔６に挿入される他方のクサビ９とより構成される。
【００１８】
そして、上記一方及び他方の貫通孔５、６は、上記接続具本体７の一側面７ａから他側面７ｂに向かって並列して設けられ、上記接続具本体７は、例えば、クローム銅合金製などの導電性部材よりなる。
【００１９】
また、上記一方のクサビ８は、上記一方の貫通孔５の上記一方のき電線１が挿入される側の開口部１０とは反対側の出口側の開口部１１から挿入され、また、上記他方のクサビ９は、上記他方の貫通孔６の上記他方のき電線２が挿入される側の開口部１０とは反対側の出口側の開口部１１から挿入される。
【００２０】
また、上記一方及び他方の貫通孔５、６の内周面は、それぞれ図６〜図８に示すように、上記各貫通孔の軸方向に沿って、上記接続具本体７の内部側の一方の側に形成された本体側き電線受け凹部１２と、この本体側き電線受け凹部１２の両側の、上記内周面の一方の側から、この一方の側に対向する他方の側に渡って形成されたクサビガイド溝部１３と、上記内周面の他方の側に形成された開口部１４とより構成される。
【００２１】
なお、本実施例においては、上記各貫通孔５、６は上記開口部１４により溝状に形成されているが、上記開口部１４を設けなくてもよい。
【００２２】
そして、上記各貫通孔５、６の上記本体側き電線受け凹部１２は、それぞれ対応する上記き電線１、２の一側面に嵌合するように、断面が円弧状に形成されている。即ち、上記一方の貫通孔５の本体側き電線受け凹部１２は、上記一方のき電線１の下側面に嵌合するように形成され、また、上記他方の貫通孔６の本体側起電線受け凹部１２は、上記他方のき電線２の上側面に嵌合するように形成されている。
【００２３】
また、上記本体側き電線受け凹部１２の内周面には滑り止め（図示せず）を設ける。この滑り止めには、溝、凸部などがある。なお、滑り止めを設けなくてもよい。
【００２４】
また、上記各貫通孔５、６の上記クサビガイド溝部１３は、それぞれ上記内周面の他方の側にクサビ当接面１５を有する、断面がコ字状に形成されている。
【００２５】
また、上記一方及び他方の貫通孔５、６の各クサビ当接面１５は、それぞれ対応する上記本体側き電線受け凹部１２に対して傾斜して設けられ、上記一方及び他方の貫通孔５、６の本体側き電線受け凹部１２と対応する上記貫通孔５、６のクサビ当接面１５との距離が、それぞれ上記貫通孔のき電線挿入側の開口部１０から出口側の開口部１１に向かって徐々に長くなるように形成されている。
【００２６】
また、上記一方及び他方のクサビ８、９の外周面は、それぞれ図９〜図１１に示すように、上記各クサビの長手方向に沿う一方の側に形成されたクサビ側き電線受け凹部１６と、このクサビ側き電線受け凹部１６の両側の、上記外周面の一方の側から、この一方の側の反対側の他方の側に渡って形成されたクサビ凸部１７と、上記外周面の他方の側に形成された、上記各クサビ８、９を対応する上記貫通孔５、６に挿入したとき、対応する上記貫通孔５、６の開口部１４から外部に突出する突出凸部１８とより構成される。
【００２７】
そして、上記各クサビ８、９のクサビ側き電線受け凹部１６は、それぞれ対応する上記き電線１、２の一側面に嵌合するように、断面が円弧状に形成されている。即ち、上記一方のクサビ８のクサビ側き電線受け凹部１６は、上記一方のき電線１の上側面に合致するように形成され、上記他方のクサビ９のクサビ側き電線受け凹部１６は、上記他方のき電線２の下側面に合致するように形成されている。
【００２８】
また、上記クサビ８、９の外周面には滑り止め（図示せず）を設ける。この滑り止めには、溝、凸部などがある。なお、滑り止めを設けなくてもよい。
【００２９】
また、上記各クサビ８、９の上記クサビ凸部１７は、それぞれ上記外周面の他方の側に、それぞれ対応する上記貫通孔５、６のクサビガイド溝部１３のクサビ当接面１５に当接するクサビ面１９を有し、対応する上記クサビガイド溝部１３に挿入可能である断面がコ字状に形成されている。
【００３０】
また、上記一方及び他方のクサビ８、９の各クサビ面１９は、対応する上記クサビ側き電線受け凹部１６に対して傾斜して設けられ、上記一方及び他方のクサビ８、９のクサビ側き電線受け凹部１６と対応する上記クサビ８、９のクサビ面１９との距離が、それぞれ上記クサビ８、９の先端２０から後端２１に向かって徐々に長くなるように形成されている。
【００３１】
また、上記接続具本体７に上記一方のクサビ８を確実に固定するために、上記接続本体７と上記一方のクサビ８に、それぞれ一方の固定手段と、他方の固定手段を設け、上記一方の固定手段と他方の固定手段とを係合することにより、上記接続具本体７と上記一方のクサビ８を確実に固定するようにする。
【００３２】
すなわち、上記接続具本体７の上面７ｃに設けられた取付凹部２２に、起立側にボルト貫通孔を有するＬ字状の本体側固定用金具２３を固定すると共に、上記一方のクサビ８の突出凸部１８の側面に設けられた取付凹部２４に、起立側にボルト貫通孔を有するＬ字状のクサビ側固定用金具２５を固定し、上記本体側固定用金具２３の貫通孔と上記クサビ側固定用金具２５の貫通孔にボルト２６を挿入し、締付ナット２７により締め付けて、上記接続具本体７と上記一方のクサビ７とを固定するようにする。
【００３３】
なお、本実施例においては、上記接続具本体７に上記他方のクサビ９を確実に固定する手段を設けていないが、上記接続具本体７と上記他方のクサビ９とに、それぞれ一方の固定手段及び他方の固定手段を設けるようにして、確実に固定できるようにしてもよい。
【００３４】
次に、図１２〜図１４において、本発明のき電線接続具に一方及び他方のき電線をそれぞれ接続する方法を説明する。
【００３５】
まず、図１２に示すように、上記一方のき電線１の端部を、上記一方のき電線２の張力に抗して、上記接続具本体７の一方の貫通孔５の挿入側開口部１０から出口側開口部１１まで挿入すると共に、上記他方のき電線２の端部を、上記他方のき電線２の張力に抗して、上記接続具本体７の他方の貫通孔６の挿入側開口部１０から出口側開口部１１まで挿入する。
【００３６】
次に、図１３に示すように、上記一方のクサビ８を、上記接続具本体７の一方の貫通孔５の出口側開口部１１から挿入すると共に、上記他方のクサビ９を、上記接続具本体７の他方の貫通孔６の出口側開口部１１から挿入する。
【００３７】
更に、上記一方及び他方のクサビ８、９を対応する上記貫通孔５、６に挿入すれば、図１４に示すように、上記各き電線１、２は上記各貫通孔５、６の本体側き電線受け凹部１２と、上記クサビ８、９のクサビ側き電線受け凹部１６とにより挟持されて、締め付けられて固定され、更に、上記一方及び他方のき電線に働く張力を開放すれば、上記一方及び他方のき電線１、２には、互いに反対方向に張力が働くから、それぞれ上記各クサビを深く挿入する方向に力が加わり、より強固に、上記一方のき電線１と他方のき電線２とが締め付けられて固定されるようになる。
【００３８】
そして、必要に応じて、上記接続具本体７とクサビを一方の固定手段と他方の固定手段により固定するようにすれば、接続具本体７とクサビとの万が一の緩みによるはずれを防止することができる。
【００３９】
なお、上記クサビ８、９が上記貫通孔５、６に所望量だけ挿入されて、クサビ効果が十分に発揮されていることが外部から分かるように、上記接続具本体７の側面に一方の印（図示せず）と、上記各クサビの側面にそれぞれ他方の印（図示せず）を設け、上記一方の印と他方の印が一致したとき、上記クサビ８、９が上記貫通孔５、６に所望量だけ挿入されたことが分かるようにしてもよい。
【００４０】
本発明のき電線接続具によれば、油圧装置を用いることがなく、また、クサビを例えば、ハンマーなどで叩くだけで、き電線をき電線接続具に接続できるので、迅速な接続ができる。
【００４１】
また、互いに反対方向に働く一方及び他方のき電線の張力を利用して固定させるので、より確実に締め付けができ、また、従来のき電線接続具に比べて取付作業時の安全性が高い。
【００４２】
なお、接続工事に十分な時間が取れるようになったときに、本実施例のき電線接続具から従来のき電線接続具に取り替えるようにしてもよい。
【００４３】
また、上記実施例は、張力が働くき電線について説明したが、張力の働かないき電線同士を接続する場合にも、本発明のき電線接続具は使用できる。
【符号の説明】
【００４４】
１    一方のき電線
２    他方のき電線
３    き電線接続具
４    碍子
５    一方の貫通孔
６    他方の貫通孔
７    接続具本体
７ａ  一側面
７ｂ  他側面
７ｃ  上面
８    一方のクサビ
９    他方のクサビ
１０  開口部
１１  開口部
１２  本体側き電線受け凹部
１３  クサビガイド溝部
１４  開口部
１５  クサビ当接面
１６  クサビ側き電線受け凹部
１７  クサビ凸部
１８  突出凸部
１９  クサビ面
２０  先端
２１  後端
２２  取付凹部
２３  本体側固定用金具
２４  取付凹部
２５  クサビ側固定用金具
２６  ボルト
２７  ナット
【図１】
2013157261.tif 000003
【図２】
2013157261.tif 000004
【図３】
2013157261.tif 000005
【図４】
2013157261.tif 000006
【図５】
2013157261.tif 000007
【図６】
2013157261.tif 000008
【図７】
2013157261.tif 000009
【図８】
2013157261.tif 000010
【図９】
2013157261.tif 000011
【図１０】
2013157261.tif 000012
【図１１】
2013157261.tif 000013
【図１２】
2013157261.tif 000014
【図１３】
2013157261.tif 000015
【図１４】
2013157261.tif 000016